(57)【要約】【課題】水域に浮遊している懸濁物質を水面下に配置された懸濁物質吸入取水口へ向けて誘導し、取水口から吸引ポンプにより水と共に吸引し、サクションホースを介して懸濁物質回収処理装置へ給送し、懸濁物質を採取する場合に、比較的吸引力の小さな吸引ポンプであっても、水面に浮上している懸濁物質を含め十分な吸引採取が行えるようにする。【解決手段】懸濁物質吸入取水口２１の水面下位置より上方の水面下位置で、懸濁物質吸入取水口を中心としてその周囲の複数箇所から懸濁物質吸入取水口へ向けて水面と略平行の水平方向水流を発生させ、それぞれの水平方向水流を懸濁物質吸入取水口の上方範囲で衝突させることにより懸濁物質吸入取水口方向へ向かう下方向水流を発生させ、上記水平方向水流と下方向水流により懸濁物質を懸濁物質吸入取水口へ誘導する。【選択図】図１
2008068201.tif 000002
【特許請求の範囲】
【請求項１】
水域に浮遊している懸濁物質を水面下に配置された懸濁物質吸入取水口へ向けて誘導し、前記懸濁物質吸入取水口から吸引ポンプにより水と共に吸引し、サクションホースを介して懸濁物質回収処理装置へ給送する懸濁物質採取方法において、
前記水域の浮上懸濁物質が漂う表層範囲内でかつ前記懸濁物質吸入取水口が配置されている水深位置より浅い水深位置で、該懸濁物質吸入取水口を中心としてその周囲に周方向へ略均等に配分された複数箇所から当該懸濁物質吸入取水口側に向けて水面と略平行の水平方向水流を発生させ、
それぞれの水平方向水流を前記懸濁物質吸入取水口の上方範囲で衝突させることにより下方向水流を発生させ、
前記表層範囲に漂う浮上懸濁物質を前記水平方向水流と前記下方向水流に乗せて前記懸濁物質吸入取水口へ誘導することを特徴とする懸濁物質採取方法。
【請求項２】
前記懸濁物質吸入取水口の開口を水面方向へ向け、
前記水平方向水流を、前記開口に対して略接線方向に一様に指向させることを特徴とする請求項１に記載の懸濁物質採取方法。
【請求項３】
前記水平方向水流を、それぞれ水平方向でかつ前記水平方向水流と垂直な方向に延伸するスリット噴出口から流出する噴流によって発生させることを特徴とする請求項１又は２に記載の懸濁物質採取方法。
【請求項４】
水面方向へ向けて開口している懸濁物質吸入取水口を有し、この懸濁物質吸入取水口が吸引ポンプに接続されたサクションホースに連通している吸水部材と、
各角部の下部にそれぞれ浮体が取り付けられている平面視略多角形のフレームを有し、該フレームが前記懸濁物質吸入取水口を前記フレームの中央において水面下に配置するように保持している筏部材と、
前記懸濁物質吸入取水口を中心としてその周囲に周方向へ略均等に配分されるように前記フレームの各辺部に取り付けられ、前記懸濁物質吸入取水口側に向けてそれぞれ前記水面と略平行の水平方向水流を発生させる水噴出口を有するノズル部材と、
前記ノズル部材から発生せしめられる前記水平方向水流を前記懸濁物質吸入取水口の上方で衝突させるために、前記懸濁物質吸入取水口が前記ノズル部材の深さ位置よりも深い位置になるように前記懸濁物質取水口および／または前記ノズル部材を位置調整するための調整部材と、
前記各ノズル部材に水を供給する給水パイプ手段と、
を有していることを特徴とする懸濁物質採取装置。
【請求項５】
前記各ノズル部材が筒体として形成されており、前記水噴出口が、水平方向で且つ前記水平方向水流と垂直な方向に延びていて幅広の水平方向水流を発生させるスリット噴出口として前記筒体に形成されていることを特徴とする請求項４に記載の懸濁物質採取装置。
【請求項６】
前記各筒体が、前記懸濁物質吸入取水口に対する前記スリット噴出口からの水流の方向が調整可能であるようになされていることを特徴とする請求項５に記載の懸濁物質採取装置。
【請求項７】
前記各ノズル部材に、前記浮体の外側に環状の水平方向水流を生じさせる水噴出口を有する副ノズル部材が付設されていることを特徴とする請求項４〜６の何れか１項に記載の懸濁物質採取装置。
【発明の詳細な説明】
【技術分野】
【０００１】
本発明は、ダム湖、池、湖沼、貯水池、ダムの入り江、堀、あるいは海域等で植物プランクトン等を含む懸濁物質が滞留している閉鎖性水域あるいは微流動水域、例えばアオコ、赤潮発生水域から上記懸濁物質を採取除去し、これら水域を浄化する方法および装置に関する。
【背景技術】
【０００２】
従来、上記水域を浮遊する懸濁物質の採取方法として、サクションホースを介して吸引ポンプに接続された懸濁物質吸入取水口を上記水域の水面下に配置し、上記吸引ポンプにより上記懸濁物質吸入取水口から懸濁物質を水と共に吸引する方法が一般的に用いられている（特許文献１参照）。
【０００３】
また、上記方法において、懸濁物質の採取効率を高めるために、上記懸濁物質吸入取水口の配置位置へ向けて水流を生起させ、上記水域において広範囲に漂っている懸濁物質を、上記水流に乗せて上記懸濁物質吸入取水口周辺へ導く方法が提案されている（特許文献２および特許文献３参照）。
【０００４】
特許文献２は、懸濁物質がアオコである場合の採取方法を示しており、この採取方法は、水面下でのアオコの分布範囲の下部付近でマイクロバブルを発生させ、このマイクロバブルにアオコを付着させ、浮上するマイクロバブルによってアオコを水面へ向けて上昇させ、更に浮上するアオコ付着マイクロバブル並びに水面付近に漂うアオコを上記懸濁物質吸入取水口へ向けて移動させるための水流を発生させるというものである。
【０００５】
特許文献３も、懸濁物質がアオコである場合の採取方法を示しており、この採取方法は、上記懸濁物質吸入取水口を取り巻いて設けた回転翼で上記懸濁物質吸入取水口周囲に環状流を発生させ、この環状流に乗せてアオコを上記懸濁物質吸入取水口へ導くというものである。
【０００６】
【特許文献１】特開２００２−１３７１号公報
【特許文献２】特開２００４−８９４８号公報
【特許文献３】特開２０００−３０３４３８号公報
【発明の開示】
【発明が解決しようとする課題】
【０００７】
上記特許文献２及び３に記載の従来方法は何れも、水面下に配置されている上記懸濁物質吸入取水口の水深レベルと同じレベルかそれより上の範囲に懸濁物質が集中するよう水流の形成が行われるが、この水流は、専ら上記懸濁物質吸入取水口の周辺および上方範囲に懸濁物質を集中させる作用を果たすものであり、集中した懸濁物質の上記懸濁物質吸入取水口からの吸引は専ら上記吸引ポンプによる吸引力に依存している。
【０００８】
このように集中した懸濁物質を吸引する場合であっても、十分な吸引採取を行うためには、強力な吸引力を有する吸引ポンプが必要であり、しかも、そのような強力な吸引ポンプを使用しても水面に浮上している懸濁物質を完全に吸引採取し得るとは限らず、例えばアオコの場合、発明者らの実験では、水域でのアオコ除去率が８０％以上の低アオコ濃度になされたにも拘わらず、水面は緑色に染まった状態になっている場合が観察された。
【０００９】
そこで、本発明の目的は、比較的吸引力の小さな吸引ポンプであっても、懸濁物質が水面に浮上している懸濁物質を含めて十分に吸引採取されるようにすることである。
【課題を解決するための手段】
【００１０】
発明者らは、上述の課題が、水面に浮上している懸濁物質に接近した水面と略平行の水平方向水流と、上記懸濁物質吸入取水口へ向かう下方向水流とを発生させることにより解決されることを見出した。
【００１１】
そして、上記下方向水流は、上記水平方向水流を上記懸濁物質吸入取水口の上方範囲で衝突させることによってもたらされることを見出した。
【００１２】
これらの知見は、河川の三次元流動のシミュレーション実験により確認された。図５〜図１０は、２００４年１１月１５日インデックス出版発行「エクセル河川数値解析入門」８３頁以降のＭＡＣ法によるシミュレーション方法において境界条件を各図に示すように修正して行った３つの計算条件実験ケースを示している。水面付近において四方からの水平方向水流を中央部で互いに衝突させることにより下方向水流が発生することが確認できる。実験ケース２及び３の場合のように、対向する水平方向水流を横方向に互いに食い違い状態にすれば、下方向水流と共に渦流が発生することが認められる。
【００１３】
上記のような知見と計算実験に基づいて、本発明は、
水域に浮遊している懸濁物質を水面下に配置された懸濁物質吸入取水口へ向けて誘導し、上記懸濁物質吸入取水口から吸引ポンプにより水と共に吸引し、サクションホースを介して懸濁物質回収処理装置へ給送する懸濁物質採取方法において、
上記水域の浮上懸濁物質が漂う表層範囲内でかつ上記懸濁物質吸入取水口が配置されている水深位置より浅い水深位置で、該懸濁物質吸入取水口を中心としてその周囲に周方向へ略均等に配分された複数箇所から当該懸濁物質吸入取水口側に向けて水面と略平行の水平方向水流を発生させ、
それぞれの水平方向水流を上記懸濁物質吸入取水口の上方範囲で衝突させることにより下方向水流を発生させ、
上記表層範囲に漂う浮上懸濁物質を上記水平方向水流と上記下方向水流に乗せて上記懸濁物質吸入取水口へ誘導することを特徴とする懸濁物質採取方法を提供する。
【００１４】
本発明において、水域の浮上懸濁物質が漂う表層範囲とは、水面から水面下約５０ｃｍ程度までの範囲を意味するが、水面上に浮遊する懸濁物質を採取する上では、上記懸濁物質吸入取水口は、水面から水面下約１０ｃｍ程度の比較的浅い範囲に配置されることが好ましく、特に水面から水面下７ｃｍ程度の水深範囲に配置されることが好ましい。
【００１５】
請求項１に記載の発明によれば、懸濁物質吸入取水口周辺の浮遊懸濁物は、懸濁物質吸入取水口へ向けてその周辺の複数の方向から発せられる水平方向水流によって懸濁物質吸入取水口へ向けて流し寄せられ、懸濁物質吸入取水口の上方範囲で上記水平方向水流の衝突によってもたらされる下方向水流によって懸濁物質吸入取水口へ向けて流下せしめられ、懸濁物質吸入取水口から吸引される。
【００１６】
懸濁物質吸入取水口へ向かう上記の下方向水流は、懸濁物質吸入取水口における懸濁物質の吸引を容易にし、従ってさほど大きな吸引力をもたない吸引ポンプを使用しても効率のよい吸引が達成される。上記懸濁物質吸入取水口を水面に近づければ近づけるほど水面に浮上している懸濁物質は吸引されやすく、水面上における懸濁物質の取り残しは大幅に減少せしめられ、清澄な水面をもたらすことができる。
【００１７】
請求項２に記載のように、上記懸濁物質吸入取水口の開口を水面方向へ向け、上記水平方向水流を、上記開口に対して略接線方向に一様に指向させるようにすれば、水平方向水流の一部によって渦流が発生せしめられ、この渦流は上記下方向水流を増強する作用をもたらすと共に、懸濁物質吸入取水口周辺の浮遊懸濁物質で上記水平方向水流の作用を受けていない懸濁物質も渦に巻き込み、懸濁物質吸入取水口の上方範囲へ効率よく寄せ集める作用をもたらす。上述の一様とは、上記開口を上方から見た場合に、全部の水平方向水流が開口に対して左側か右側の何れか一方の同じ側で略接線方向に指向されていることを意味している。
【００１８】
請求項３に記載のように、上記水平方向水流を、それぞれ水平方向でかつ上記水平方向水流と垂直な方向に延伸するスリット噴出口から流出する噴流によって発生させるようにすれば、帯状の水平方向水流がもたらされ、この帯状の水平方向水流の作用により、広い範囲で懸濁物質が上記懸濁物質吸入取水口の上方範囲へ向けて搬送される。
【００１９】
請求項４に記載の発明は、上記方法を効果的に実施するための装置に関するものであって、
水面方向へ向けて開口している懸濁物質吸入取水口を有し、この懸濁物質吸入取水口が吸引ポンプに接続されたサクションホースに連通している吸水部材と、
各角部の下部にそれぞれ浮体が取り付けられている平面視略多角形のフレームを有し、該フレームが上記懸濁物質吸入取水口を上記フレームの中央において水面下に配置するように保持している筏部材と、
上記懸濁物質吸入取水口を中心としてその周囲に周方向へ略均等に配分されるように上記フレームの各辺部の中央に取り付けられ、上記懸濁物質吸入取水口側に向けてそれぞれ上記水面と略平行の水平方向水流を発生させる水噴出口を有するノズル部材と、
上記ノズル部材から発生せしめられる上記水平方向水流を上記懸濁物質吸入取水口の上方で衝突させるために、上記懸濁物質吸入取水口が上記ノズル部材の深さ位置よりも深い位置になるように上記懸濁物質取水口および／または上記ノズル部材を位置調整するための調整部材と、
上記各ノズル部材に水を供給する給水パイプ手段と、
を有していることを特徴とする。
【００２０】
請求項４に記載の発明によれば、筏部材のフレームの各辺部中央にノズル部材を取り付けることにより、上記懸濁物質吸入取水口を中心としてその周囲に周方向へ略均等に配分された複数箇所から当該懸濁物質吸入取水口側に向けて水面と略平行の水平方向水流を発生させるための構成を容易にもたらすことができ、更に上記懸濁物質吸入取水口を上記ノズル部材の深さ位置よりも深い位置に位置調整するための調整部材を設けることにより、上記ノズル部材から発生せしめられる上記水平方向水流を上記懸濁物質吸入取水口の上方で衝突させるように調整することが容易であり、従って、懸濁物質吸入取水口の周辺から該懸濁物質吸入取水口へ向かう水平方向水流を形成し、これら水平方向水流を衝突させることによって懸濁物質吸入取水口の上方範囲に下方向水流を発生せしめ、この下方向水流により水域表層に浮遊する懸濁物質を誘導し懸濁物質吸入取水口へ導くための装置が容易に製作可能である。また、本発明装置によれば、懸濁物質吸入取水口からの懸濁物質の吸引採取が、小さな吸引力の吸引ポンプによって効率よく、高収率で行われ、また、このような吸引採取を行いつつ、ロープなどで筏部材を牽引して水域内を隈無く移動させることができる。なお、フレームが平面視矩形であると、筏部材が安定的に水面に浮上する点で好ましく、更に安価かつ簡易にフレームを形成できるため好ましい。
【００２１】
請求項５に記載のように、上記各ノズル部材が筒体として形成されており、上記水噴出口が、水平方向で且つ上記水平方向水流と垂直な方向に延びていて幅広の水平方向水流を発生させるスリット噴出口として上記筒体に形成されているようにすれば、広い範囲の懸濁物質を上記懸濁物質吸入取水口の上方範囲に流し寄せることのできる帯状の水平方向水流が容易にもたらされる。
【００２２】
請求項６に記載のように、上記各筒体が、上記懸濁物質吸入取水口に対する上記水噴出口からの水流の方向が調整可能であるようにすれば、上記スリット噴出口からの水平方向水流の一部を互いに衝突させ、これによって下方向水流をもたらし、またスリット噴出口からの水平方向水流の他の部分を上記懸濁物質吸入取水口の上方範囲で該懸濁物質吸入取水口を中心とする渦流を発生させるようにすることが容易に達成可能であり、この渦流は懸濁物質吸入取水口を中心とする比較的広い範囲から懸濁物質を誘導してくると共に、下方への水流も発生させ、上記の水流の衝突による下方向水流と一緒になって更に強力な下方向への水流がもたらされ、懸濁物質吸入取水口からの一層効率のよい懸濁物質吸引を達成することができる。
【００２３】
請求項７に記載のように、上記各ノズル部材に、上記浮体の外側に環状の水平方向水流を生じさせる水噴出口を有する副ノズル部材が付設されているようにすれば、上記浮体の外側方の範囲に淀み漂う懸濁物質を上記環状の水平方向水流にのせて主ノズル筒体によって発生せしめられる上記水平方向水流に合流させ、当該主ノズル筒体による水平方向水流に乗せて上記懸濁物質吸入取水口方向へ向かわせることができるので、懸濁物質の採取効率を更に高めることができる。
【００２４】
上記各副ノズル部材も筒体として形成されており、これら筒体に設けられた上記水噴出口が水平方向で且つ上記副ノズル部材からの水平方向水流と垂直な方向に延びていて幅広の水平方向水流を発生させるスリット噴出口として形成されているようにすれば、上記浮体の外方側に発生せしめられる環状の水平方向水流が幅広になり、より広い範囲から懸濁物質を上記環状の水平方向水流に乗せて寄せ集めることができる。
【発明の効果】
【００２５】
本発明によれば、水域からの懸濁物質の採取を、水面に浮上している懸濁物質を含め、比較的吸引力の小さな吸引ポンプを用いて効果的に行うことができ、懸濁物質採取作業を行った後の水域に清澄な水面をもたらすことができる。
【発明を実施するための最良の形態】
【００２６】
以下、この発明の実施の形態について図面を参照して説明する。
【００２７】
図１は本発明の実施形態に係る懸濁物質採取装置の斜視図、図２は同懸濁物質採取装置の概略平面図、図３は図２中のＩＩＩ−ＩＩＩ線に沿う概略断面図である。
【００２８】
図示のように、本発明の実施形態に係る懸濁物質採取装置１は、筏部材１０、吸水部材２０、ノズル部材３０Ａ〜３０Ｄ、給水パイプ手段４０Ａ〜４０Ｄを有している。
【００２９】
筏部材１０は平面視正方形のフレーム１１を有しており、このフレーム１１の四隅の下部にはそれぞれ浮体１２が取り付けられ、これら浮体１２はフレーム１１を水面上の一定の高さ位置に水平に保持している。
【００３０】
吸水部材２０は、筏部材１０の中央部に取り付けられた支持台１３に、吊下部材１４Ａ，１４Ｂによって吊り下げた状態に保持されている。吊下部材１４Ａ，１４Ｂは長さ調節が可能であるように構成されており、従って吸水部材２０は支持台１３からの距離、即ち水面からの深さ位置が調節可能である。
【００３１】
図３に示すように吸水部材２０は漏斗状に形成されており、この漏斗状の吸水部材２０の大径側の口部が懸濁物質吸入取水口２１となっており、この懸濁物質吸入取水口２１は水面Ｓの方向に向けられている。漏斗状吸水部材２０の小径側の管状足部２２はサクションホース５０へ接続されており、このサクションホース５０は吸引ポンプ６０を介して、懸濁物質除去予定水域周辺の地上、或いは上記水域に浮かべた処理船に設置した懸濁物質回収処理装置７０へ接続されている。
【００３２】
ノズル部材３０Ａ〜３０Ｄは、上記フレーム１１の四方に配置され、更にそれぞれフレーム１１の一辺の中央外側方に同じ態様で配置されており、互いに同形状、同構造を有している。そこで、代表的にノズル部材３０Ａに関して以下に説明する。
【００３３】
ノズル部材３０Ａは、ノズル筒体３０Ａ１と、このノズル筒体３０Ａ１に結合され且つ内部でノズル筒体３０Ａ１と連通しているＬ字状支持筒体３０Ａ２とを有している。Ｌ字状支持筒体３０Ａ２は、ノズル筒体３０Ａ１の中央部に結合されノズル筒体３０Ａ１を水平に支持している円筒状水平部３０Ａ２１と、この水平部の端部から垂直に立ち上がっている円筒状垂直部３０Ａ２２とを有している。
【００３４】
円筒状垂直部３０Ａ２２は、給水パイプ手段４０Ａの末端部材である硬質の垂直末端パイプ部４０Ａ１に対して回動可能に嵌着されており、従ってノズル筒体３０Ａ１は垂直末端パイプ部４０Ａ１に関して水平に回動して懸濁物質吸入取水口２１に対する方向が調節可能である。
【００３５】
水平に支持されているノズル筒体３０Ａ１には漏斗状の吸水部材２０に対面して水噴出口３０Ａ１１が設けてあり、この水噴出口はスリット噴出口として形成されている。ノズル筒体３０Ａ１に給送されてくる水はこのスリット噴出口３０Ａ１１から水面Ｓ（図３参照）と平行に噴出せしめられ、水平方向水流を形成する。ノズル筒体３０Ａ１が上述のように水平に回動可能であることにより、スリット噴出口３０Ａ１１から噴出せしめられる水平方向水流は、懸濁物質吸入取水口２１に対する流動方向を調整することができる。図２は、水平方向水流が懸濁物質吸入取水口２１の周縁部に対して略接線方向に一様に向かうようにノズル筒体３０Ａ１，３０Ｂ１，３０Ｃ１，３０Ｄ１を回動調節した状態を示している。
【００３６】
給水パイプ手段４０Ａは、上記末端パイプ部４０Ａ１と共に、この末端パイプ部４０Ａ１の上部に嵌着された硬質プラスチック製のＬ字状連結パイプ部４０Ａ２と、このＬ字状連結パイプ部４０Ａ２の水平部に嵌着された硬質プラスチック製の横行パイプ部４０Ａ３と、軟質プラスチック製の給水パイプ４０Ａ４とを有しており、横行パイプ部４０Ａ３は、筏部材１０のフレーム部１１の各辺部の中央に片持ち式に固定された筒状案内アーム４０Ａ５に確固に支持されており且つ同筒状案内アーム内で給水パイプ４０Ａ４に接続されている。給水パイプ手段４０Ａの上述の構成は、給水パイプ手段４０Ｂ，４０Ｃ，４０Ｄについても同様であるので、それらについての詳細な説明は省略する。
【００３７】
給水パイプ４０Ａ４は、給水パイプ手段４０Ｂ，４０Ｃ，４０Ｄの給水パイプと共に給水ポンプ８０を介して給水源（図示せず）に接続されている。この給水源としては、例えば、懸濁物質除去を実施しようとしている水域の水深が深い部分であるか、或いは上記懸濁物質回収処理装置７０で濾過された水を貯留したタンクを利用できる。しかしながら、その他の箇所にある貯水を給水源として用いてもよいことはもちろんである。
【００３８】
上記懸濁物質採取装置１の寸法は、例えば、筏部材１０の正方形フレーム１１の一辺の長さが５０ｃｍ、筒状案内アーム４０Ａ５，４０Ｂ５，４０Ｃ５，４０Ｄ５の長さが５０〜１００ｃｍである。しかしながら、これら寸法は例示的なものであり、効率のよい懸濁物質採取を行い得るように様々に変更可能である。
【００３９】
上記懸濁物質採取装置１は、筏部材１０を懸濁物質を除去すべき調整水域に浮かべ、給水パイプ４０Ａ４，４０Ｂ４．４０Ｃ４，４０Ｄ４を水源に接続し、吸水部材２０を懸濁物質回収処理装置７０へ接続することにより、作業のための準備が整えられる。その際、吸水部材２０の懸濁物質吸入取水口２１は、吊下部材１４Ａ，１４Ｂを調節することによって、水面から、例えば７ｃｍの深さのところに配置され、また、ノズル筒体３０Ａ１，３０Ｂ１，３０Ｃ１，３０Ｄ１は懸濁物質吸入取水口２１よりも浅い水深位置に配置される。
【００４０】
このように準備を整えた後、給水ポンプ８０及び吸引ポンプ６０が作動せしめられる。給水ポンプ８０の作動によってノズル部材３０Ａのスリット噴出口３０Ａ１１、及び他のノズル部材３０Ｂ，３０Ｃ，３０Ｄのスリット噴出口より水が噴出せしめられ、水平方向水流が懸濁物質吸入取水口２１へ向けて、特に懸濁物質吸入取水口２１の周縁部に対して接線方向に帯状に発生せしめられる。これら水平方向水流はその一部が懸濁物質吸入取水口２１上方で互いに衝突し、該懸濁物質吸入取水口の上側に下方向水流を発生させ、更に水平方向水流の他の一部は懸濁物質吸入取水口２１の上方に渦流を発生させる。
【００４１】
上記水平方向水流は懸濁物質吸入取水口２１周辺に浮遊する懸濁物質を懸濁物質吸入取水口２１へ向けて寄せ流し、上記下方向水流は懸濁物質吸入取水口２１の上方範囲に寄せ集められた懸濁物質を懸濁物質吸入取水口２１へ向けて流下せしめる。また、上記渦流は懸濁物質吸入取水口２１周辺の懸濁物質を渦に巻き込み、懸濁物質吸入取水口２１方向へ向けての懸濁物質の誘導作用をもたらす。
【００４２】
吸引ポンプ６０の作用によって懸濁物質吸入取水口２１には吸引力が及ぼされており、従って上記水平方向水流及び渦流によって寄せ集められ、下方向水流によって流下せしめられる懸濁物質は懸濁物質吸入取水口２１から吸引され、サクションホース５０を介して懸濁物質回収処理装置７０へ給送される。
【００４３】
筏部材１０は、上述のような懸濁物質吸引採取作業が行われるのと同時に牽引ロープなどにより牽引されて水域内を徐々に移動せしめられ、従って水域全体に渡る満遍のない懸濁物質吸引採取が行われる。
【００４４】
懸濁物質回収処理装置７０では懸濁物質は高分子フィルターにより水と分離されて回収される。分離された水は懸濁物質回収処理装置７０において溶存酸素量を増大させる処理に付され、上記タンクへ給送されるか、或いは水域内へ戻される。
【００４５】
図４は変形実施形態を概略的平面図にて示しており、図示のように、各ノズル筒体３０Ａ１，３０Ｂ１，３０Ｃ１，３０Ｄ１にはそれぞれノズル筒体３０Ａ１１，３０Ｂ１１，３０Ｃ１１，３０Ｄ１１が付設されている。ノズル筒体３０Ａ１，３０Ｂ１，３０Ｃ１，３０Ｄ１を主ノズル筒体、ノズル筒体３０Ａ１１，３０Ｂ１１，３０Ｃ１１，３０Ｄ１１を副ノズル筒体と呼ぶものとして、例えば主ノズル筒体３０Ａ１からは懸濁物質吸入取水口２１側に向かう水平方向水流Ａ１が発生せしめられ、付設された副ノズル筒体３０Ａ１１からは浮体１２の外側方（浮体１２から見て懸濁物質吸入取水口２１の反対側）へ向かう付加的水平方向水流Ａ２が、副ノズル筒体３０Ａ１１に形成されたスリット噴出口（図示せず）から噴出する水によって形成させる。同様に主ノズル筒体３０Ｂ１，３０Ｃ１，３０Ｄ１からは水平方向水流Ｂ１，Ｃ１，Ｄ１がそれぞれ発生せしめられ、副ノズル筒体３０Ｂ１１，３０Ｃ１１，３０Ｄ１１からはそれぞれ付加的水平方向水流Ｂ２，Ｃ２，Ｄ２が発生せしめられる。上記付加的水平方向水流Ａ２，Ｂ２，Ｃ２，Ｄ２によって四つの浮体１２の周囲に環状流が形成され、この環状流により各浮体１２の外側方に淀み漂う懸濁物質は水平方向水流Ａ１，Ｂ１，Ｃ１又はＤ１へ向けて押し流され、次いで当該水平方向水流Ａ１，Ｂ１，Ｃ１又はＤ１との合流箇所でそれら水平方向水流に乗せて懸濁物質吸入取水口２１へ流し寄せることができる。これにより、懸濁物質の採取効率が更に高められる。
【００４６】
副ノズル筒体３０Ａ１１，３０Ｂ１１，３０Ｃ１１，３０Ｄ１１への水の給送は、主ノズル筒体３０Ａ１，３０Ｂ１，３０Ｃ１，３０Ｄ１への給水パイプ手段４０Ａ，４０Ｂ，４０Ｃ，４０Ｄに分岐路を設けて行うか、或いはそれぞれ主ノズル筒体３０Ａ１，３０Ｂ１，３０Ｃ１，３０Ｄ１を副ノズル筒体３０Ａ１Ｂ，３０Ｂ１Ｂ，３０Ｃ１Ｂ，３０Ｄ１Ｂに連通することによって行ってもよい。
【００４７】
なお、本発明は上記実施の形態に限定されることなく、発明の趣旨を逸脱しない範囲で種々変更可能である。例えば、上記ノズル部材３０Ａ〜３０Ｄに設けられる水噴出口は、スリット状とする代わりに丸孔又は角孔としてもよい。また、上記案内アーム４０Ａ５はチャンネル材で構成してもよく、このことは他の案内アームについても同様である。
【図面の簡単な説明】
【００４８】
【図１】本発明による懸濁物質採取装置の斜視図である。
【図２】図１に示す懸濁物質採取装置の平面図である。
【図３】図２中のＩＩＩ−ＩＩＩ線に沿う断面図であり、懸濁物質吸入取水口を有する吸水部材については部分的中央縦断面図で示す図である。
【図４】付加的水平方向水流をもたらすように改変した図１に示す懸濁物質採取装置の概略的平面図である。
【図５】四方から懸濁物質吸入取水口へ向けて水平方向の水流を与えた場合に懸濁物質吸入取水口近辺に生起する水流の状況を河川の３次元流動のシミュレーション解析によって確認する際の実験ケース１の条件を示す図である。
【図６】実験ケース１の結果を示す図であって、（Ａ）は水平方向水流の状況、（Ｂ）は下方向水流の状況を示す図である。
【図７】実験ケース２の条件を示す図である。
【図８】実験ケース２の結果を示す図であって、（Ａ）は水平方向水流の状況、（Ｂ）は下方向水流の状況を示す図である。
【図９】実験ケース３の条件を示す図である。
【図１０】実験ケース３の結果を示す図であって、（Ａ）は水平方向水流の状況、（Ｂ）は下方向水流の状況を示す図である。
【符号の説明】
【００４９】
１  懸濁物質採取装置
１０  筏部材
１１  フレーム
１２  浮体
１３  支持台
１４Ａ，１４Ｂ  吊下部材
２０  吸水部材
２１  懸濁物質吸入取水口
２２  管状足部
３０Ａ〜３０Ｄ  ノズル部材
３０Ａ１  ノズル筒体
３０Ａ１１  スリット
４０Ａ〜４０Ｄ  給水パイプ手段
５０  サクションホース
６０  吸引ポンプ
７０  懸濁物質回収処理装置
８０  給水ポンプ
【図１】
2008068201.tif 000003
【図２】
2008068201.tif 000004
【図３】
2008068201.tif 000005
【図４】
2008068201.tif 000006
【図５】
2008068201.tif 000007
【図６】
2008068201.tif 000008
【図７】
2008068201.tif 000009
【図８】
2008068201.tif 000010
【図９】
2008068201.tif 000011
【図１０】
2008068201.tif 000012